Podtech/llm-jp-corpus-v4-ja_patent huggingface dataset:
【手続補正書】
【提出日】平成25年8月6日(2013.8.6)
【手続補正１】
【補正対象書類名】特許請求の範囲
【補正対象項目名】全文
【補正方法】変更
【補正の内容】
【特許請求の範囲】
【請求項１】
哺乳動物の癌に関連しない炎症の処置のための医薬組成物を製造におけるメタ亜ヒ酸ナトリウムの使用。
【請求項２】
前記炎症が、痛み、外傷、手術、狼瘡、喘息、Ｉ型糖尿病、肺疾患、自己免疫疾患、免疫障害、関節炎、多発性硬化症、クローン病、潰瘍性大腸炎からなる群から選ばれる症状に関連したものである、請求項１に記載の使用。
【請求項３】
前記炎症が喘息に関連している、請求項１に記載の使用。
【請求項４】
前記炎症が肺疾患に関連している、請求項１に記載の使用。
【請求項５】
前記炎症が自己免疫疾患に関連している、請求項１に記載の使用。
【請求項６】
前記炎症が関節炎に関連している、請求項１に記載の使用。
【請求項７】
前記医薬組成物が経口投与用に調製される、請求項１に記載の使用。
【請求項８】
前記炎症が狼瘡に関連している、請求項１に記載の使用。
【請求項９】
前記炎症がリウマチ性関節炎に関連している、請求項１に記載の使用。
【請求項１０】
前記炎症が潰瘍性大腸炎に関連している、請求項１に記載の使用。
【請求項１１】
前記炎症がクローン病に関連している、請求項１に記載の使用。
【請求項１２】
前記炎症が多発性硬化症に関連している、請求項１に記載の使用。
【請求項１３】
前記炎症がＩ型糖尿病に関連している、請求項１に記載の使用。
【請求項１４】
少なくとも１種類の治療有効投薬量のメタ亜ヒ酸ナトリウムの経口用調製物と、任意選択で少なくとも１種類の治療有効投薬量の抗炎症剤とを含むキットであって、該治療有効量のメタ亜ヒ酸ナトリウムは対象哺乳動物の癌に関連しない痛みを軽減または抑制するのに充分であり、前記抗炎症剤はヒ素化合物でない、キット。
【請求項１５】
糖尿病性血管症の治療用の医薬組成物の製造における、メタ亜ヒ酸ナトリウムの使用。
【請求項１６】
糖尿病性網膜症の治療用の医薬組成物の製造における、メタ亜ヒ酸ナトリウムの使用。
【請求項１７】
インスリン炎と関連する糖尿病性の症状の治療用の医薬組成物の製造における、メタ亜ヒ酸ナトリウムの使用。
【手続補正書】
【提出日】平成25年2月6日(2013.2.6)
【手続補正１】
【補正対象書類名】特許請求の範囲
【補正対象項目名】全文
【補正方法】変更
【補正の内容】
【特許請求の範囲】
【請求項１】
キサンタンガムと、解離度が乳酸よりも大きい有機酸及び／又は無機酸を含有することを特徴とする液状食品増粘化剤であって、
更に、難消化性デキストリンを前記キサンタンガムに対して５〜５０重量％の割合で含有することを特徴とする液状食品増粘化剤。
【請求項２】
前記含有されている有機酸及び／又は無機酸の塩をさらに含有していることを特徴とする請求項１記載の液状食品増粘化剤。
【請求項３】
有機酸がクエン酸であることを特徴とする請求項１又は２記載の液状食品増粘化剤。
【請求項４】
無機酸がリン酸であることを特徴とする請求項１乃至３のいずれか一項記載の液状食品増粘化剤。
【請求項５】
解離度が乳酸よりも大きい有機酸及び／又は無機酸を用いてキサンタンガムをコーティング及び／又はコーティングすると供に顆粒化することを特徴とする液状食品増粘化剤の製造法であって、
前記コーティング及び／又はコーティングすると供に顆粒化する際に、さらに前記キサンタンガムに対して５〜５０重量％の割合の難消化性デキストリンを用いることを特徴とする液状食品増粘化剤の製造法。
【請求項６】
前記コーティング及び／又はコーティングすると供に顆粒化する際に、さらに前記有機酸及び／又は無機酸の塩を用いることを特徴とする請求項５記載の液状食品増粘化剤の製造法。
【請求項７】
前記コーティング及び／又はコーティングすると供に顆粒化する際に流動層造粒装置、固定層造粒装置又は、噴霧乾燥装置を用いることを特徴とする請求項６乃至８の何れか一項記載の液状食品増粘化剤の製造法。
【手続補正書】
【提出日】平成25年2月28日(2013.2.28)
【手続補正１】
【補正対象書類名】特許請求の範囲
【補正対象項目名】全文
【補正方法】変更
【補正の内容】
【特許請求の範囲】
【請求項１】
遊技領域を流下する遊技球を受け入れ可能な第一受入口と、
前記第一受入口への遊技球の受け入れに基づいて当たりについての抽選処理を行う第一抽選手段と、
前記遊技領域に向けて打ち込まれた遊技球を受け入れ可能な第二受入口と、
前記第二受入口への遊技球の受け入れに基づいて当たりについての抽選処理を行う第二抽選手段と、
前記第一抽選手段または前記第二抽選手段による抽選処理の結果として、当選確率が相対的に低く設定された低確率様態から、該低確率様態よりも当選確率が相対的に高く設定された高確率様態への変更を可能とする当選確率変更手段と、
前記第二受入口への遊技球の受け入れが前記第一受入口よりも困難とされる通常状態から、前記第二受入口への遊技球の受け入れが前記第一受入口よりも容易とされる有利状態への変更を可能とする受入条件変更手段と、
遊技者に利益を付与するための動作として、所定の可動体の作動によって遊技球の受け入れが容易化される球入賞手段と、
前記第一抽選処理または前記第二抽選処理の結果が前記当たりのうち大賞当たりであるときには、前記可動体の作動による前記球入賞手段での遊技球の受け入れの容易化により多量の賞球が獲得可能とされる大賞制御を実行可能な第１利益付与手段と、
前記第一抽選処理または前記第二抽選処理の結果が前記当たりのうち小賞当たりであるときには、前記大賞制御と比べて少量の賞球しか獲得できない態様で前記可動体を作動させる小賞制御を実行し、該小賞制御が実行されたのちの遊技様態を、前記通常状態から前記有利状態に変更することなく前記当選確率変更手段により前記低確率様態から前記高確率様態に変更する第２利益付与手段と、
前記抽選処理の結果が前記当たりでないことを条件に、前記低確率様態と前記高確率様態とのうちいずれにあるかにかかわらず、一の確率で成立しうる特定条件の成立にかかわる判定処理を行う特定条件成立判定手段と、
前記第一抽選手段または前記第二抽選手段による抽選処理の結果が前記当たりでないときには前記通常状態から前記有利状態への変更及び前記低確率様態から前記高確率様態への変更のいずれもが行われないにもかかわらず、前記高確率様態に変更される期待感を遊技者に与えるべく、前記特定条件の成立に基づいて、前記小賞制御と同様に、前記大賞制御と比べて少量の賞球しか獲得できない態様で前記可動体を作動させる極似制御を実行する極似利益付与手段と、
所定の演出画像を表示可能な演出表示装置と、
前記第一抽選手段または前記第二抽選手段による抽選処理の結果に基づいて前記演出表示装置に表示される演出画像の表示制御を行う演出表示制御手段と、
を備え、
前記演出表示制御手段は、
前記第一抽選手段または前記第二抽選手段による抽選処理の結果が前記大賞当たりであるときは、前記大賞当たりに当選した旨を示す演出画像が前記演出表示装置に表示されるように制御する大賞当たり演出表示制御手段と、
前記第一抽選手段または前記第二抽選手段による抽選処理の結果が前記小賞当たりであるときは、前記小賞当たりに当選した旨を示す演出画像が前記演出表示装置に表示されるように制御する小賞当たり演出表示制御手段と、
前記第一抽選手段または前記第二抽選手段による抽選処理の結果が前記当たりでないものの前記特定条件成立判定手段により前記特定条件が成立していると判定されたときは、前記小賞当たりであるときのように前記低確率様態から前記高確率様態に変更されることがないにもかかわらず、前記小賞当たりに当選した旨を示す演出画像と極似する極似演出画像が前記演出表示装置に表示されるように制御する小賞極似演出表示制御手段と、
を有し、
前記特定条件成立判定手段は、
前記低確率様態と前記高確率様態とのいずれであっても一の確率で前記特定条件の成立にかかわる判定処理が行われるにもかかわらず、前記有利状態に変更された前記高確率様態では、前記第二受入口への遊技球の受け入れが前記第一受入口よりも困難とされた前記低確率様態よりも前記特定条件の成立に基づく前記可動体の作動頻度及び前記極似演出画像の表示が抑制されるように、前記特定条件の成立にかかわる判定処理を、前記第一抽選処理と前記第二抽選処理とのうち前記第一抽選処理の結果が前記当たりでないときに限り行う手段を有する
ことを特徴とする遊技機。
【請求項２】
前記第一受入口への遊技球の受け入れに基づいて乱数を取得する第一乱数取得手段をさらに備え、
前記第一抽選手段は、前記第一乱数取得手段により取得された乱数を用いて前記抽選処理を行う
ことを特徴とする請求項１に記載の遊技機。
【請求項３】
前記第二受入口への遊技球の受け入れに基づいて乱数を取得する第二乱数取得手段をさらに備え、
前記第二抽選手段は、前記第二乱数取得手段により取得された乱数を用いて前記抽選処理を行う
ことを特徴とする請求項１または請求項２に記載の遊技機。
【手続補正２】
【補正対象書類名】明細書
【補正対象項目名】０００８
【補正方法】削除
【補正の内容】
【手続補正書】
【提出日】平成24年12月28日(2012.12.28)
【手続補正１】
【補正対象書類名】特許請求の範囲
【補正対象項目名】全文
【補正方法】変更
【補正の内容】
【特許請求の範囲】
【請求項１】
遊技媒体を用いた遊技動作を制御する遊技制御部と、
前記遊技制御部の制御によって前記遊技動作に伴う演出動作を制御する演出制御部と、
前記演出制御部の制御によって表示動作を実行する複数の表示装置とを備える遊技機において、
前記演出制御部は、
画像データを不揮発的に記憶する第１の不揮発性映像メモリと、
表示すべき映像に関するデータを不揮発的に記憶する第２の不揮発性映像メモリと、
前記画像データを揮発的に記憶可能な第１の揮発性映像メモリと、
前記表示装置に対して映像表示を行うための映像表示プロセッサと、
映像の表示を制御する表示制御プログラムを実行して、前記表示すべき映像に関するデータに基づく映像表示を実現するために、前記映像表示プロセッサに対して映像表示処理を指示するための複数のコマンドからなるコマンドリストを生成して前記映像表示プロセッサに転送する表示制御プロセッサと、
前記表示制御プロセッサにより使用されるデータを揮発的に記憶可能な第２の揮発性映像メモリと、
を含み、
前記複数の表示装置の少なくとも１つの表示装置は他の表示装置とはサイズが異なり、
前記映像表示プロセッサは、前記表示制御プロセッサから転送されてきたコマンドリストに基づいて、表示すべき映像に応じた画像データを前記第１の不揮発性映像メモリから読み出して前記第１の揮発性映像メモリに展開するとともに前記第１の揮発性映像メモリに展開された画像データを用いて、前記複数の表示装置に対してそれぞれ表示させるための複数の画像が１フレーム内に空間的に合成された合成画像を生成し、
前記複数の表示装置は、前記映像表示プロセッサにより生成された合成画像に基づいて、当該表示装置用の画像をそれぞれ表示することを特徴とする遊技機。
【手続補正書】
【提出日】平成25年4月15日(2013.4.15)
【手続補正１】
【補正対象書類名】特許請求の範囲
【補正対象項目名】全文
【補正方法】変更
【補正の内容】
【特許請求の範囲】
【請求項１】
前面に遊技領域を有する遊技盤と、
前記遊技領域内に配置され遊技媒体が入賞可能な複数の始動口と、
該複数の始動口のうち第一始動口に遊技媒体が入賞したことを検出する第一入賞状態検出手段と、
前記複数の始動口のうち第二始動口に遊技媒体が入賞したことを検出する第二入賞状態検出手段と、
前記第一入賞状態検出手段または前記第二入賞状態検出手段による前記遊技媒体の検出に基づいて大当り抽選を行う大当り抽選手段と、
閉状態から開状態に変化させることで遊技媒体が入賞可能となる開閉入賞装置と、
前記大当り抽選手段の抽選結果が当りの場合には、前記開閉入賞装置の開閉動作を行うことで遊技者に利益を付与する利益付与手段と、を備え、
る遊技機であって、
前記大当り抽選手段は、前記第二入賞状態検出手段による前記遊技媒体の検出に基づく前記大当り抽選の抽選結果が当りであるときに前記利益付与手段によって付与される遊技媒体数の期待値が、前記第一入賞状態検出手段による前記遊技媒体の検出に基づく前記大当り抽選の抽選結果が当りであるときに前記利益付与手段によって付与される遊技媒体数の期待値よりも高くなるように、前記大当り抽選が行われ、
前記第一入賞状態検出手段による前記遊技媒体の検出に基づく前記大当たり抽選の抽選結果が特定の結果であるときに、遊技者に対して、前記第二始動口方向に遊技球を発射するように示唆する示唆手段を備えたことを特徴とする遊技機。
【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
背もたれ支持アームの後端部側が、椅子の座板の後方に立上げられると共に、当該支持アームの先端部が、前記座板の下側で脚の支柱の上部に設けたベース部材に回動可能に取付けられ、背もたれが、その下部及び背面側の左，右部の３点で前記立上り部の前面に支持され、前記３つの支持点が略逆三角形の頂点に位置するように形成したことを特徴とする椅子の背もたれの支持機構。
【請求項２】
背もたれ支持アームは、立上り部の上部側を左右に拡開した形の請求項１の椅子の背もたれの支持機構。
【請求項３】
背もたれ支持アームに支持される背もたれの左右の支持部は、当該背もたれの高さ方向の中間部である請求項１又は２の椅子の背もたれの支持機構。
【手続補正２】
【補正対象書類名】明細書
【補正対象項目名】０００６
【補正方法】変更
【補正の内容】
【０００６】
上記課題を解決することを目的としてなされた本発明の構成は、背もたれ支持アームの後端部側が、椅子の座板の後方に立上げられると共に、当該支持アームの先端部が、前記座板の下側で脚の支柱の上部に設けたベース部材に回動可能に取付けられ、背もたれが、その下部及び背面側の左，右部の３点で前記立上り部の前面に支持され、前記３つの支持点が略逆三角形の頂点に位置するように形成したことを特徴とするものである。
【手続補正３】
【補正対象書類名】明細書
【補正対象項目名】０００７
【補正方法】変更
【補正の内容】
【０００７】
上記の背もたれ支持アームは、上部側を左右に拡開した形が望ましく、また、背もたれ支持アームに支持される背もたれの左右2箇所の支持点は、当該背もたれの高さ方向の中間部がよい。
【手続補正書】
【提出日】平成25年10月8日(2013.10.8)
【手続補正１】
【補正対象書類名】特許請求の範囲
【補正対象項目名】全文
【補正方法】変更
【補正の内容】
【特許請求の範囲】
【請求項１】
遊技を行なう遊技者に対して複数の遊技演出を実行する演出装置を備え、遊技において特定の条件が成立したときに、遊技者にとって有利な特定遊技状態に制御される遊技機であって、
前記演出装置の制御を行なう演出制御手段と、
前記演出装置が実行した遊技演出の実行状態に基づいて、前記演出装置に実行させる遊技演出を選択する選択手段とを備え、
前記演出制御手段は、
計時手段としてのリアルタイムクロックと、
前記計時手段の計時に応じたデータが所定条件を満たしたときに、遊技演出における表示態様を変更する表示態様変更手段と、
該表示態様変更手段による前記遊技演出における表示態様の変更を予告する表示態様予告演出を実行する予告演出実行手段とを含むことを特徴とする、遊技機。
【手続補正２】
【補正対象書類名】明細書
【補正対象項目名】０００３
【補正方法】削除
【補正の内容】
【手続補正３】
【補正対象書類名】明細書
【補正対象項目名】０００４
【補正方法】削除
【補正の内容】
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
本発明の目的は、表示態様が変更されることを特定可能に報知することである。
【手続補正６】
【補正対象書類名】明細書
【補正対象項目名】０００８
【補正方法】変更
【補正の内容】
【０００８】
（１）  遊技を行なう遊技者に対して複数の遊技演出を実行する演出装置（変動表示装置９、装飾ランプ２５等の各種ランプ、スピーカ２７）を備え、遊技において特定の条件が成立したとき（変動表示装置９の変動表示結果が大当り表示結果となったとき）に、遊技者にとって有利な特定遊技状態（大当り遊技状態）に制御される遊技機（パチンコ遊技機１）であって、
前記演出装置の制御を行なう演出制御手段と、
前記演出装置が実行した遊技演出の実行状態に基づいて、前記演出装置に実行させる遊技演出を選択する選択手段（ＣＰＵ８６、図５２のＳ５１０Ａ、Ｓ５１６Ａ、Ｓ５１９Ａ、図５４のＳ５３１Ａ、Ｓ５６２Ａ、Ｓ５７６Ａ）とを備え、
前記演出制御手段は、
計時手段としてのリアルタイムクロックと、
前記計時手段の計時に応じたデータが所定条件を満たしたときに、遊技演出における表示態様を変更する表示態様変更手段と、
該表示態様変更手段による前記遊技演出における表示態様の変更を予告する表示態様予告演出を実行する予告演出実行手段とを含む。
【手続補正７】
【補正対象書類名】明細書
【補正対象項目名】０００９
【補正方法】変更
【補正の内容】
【０００９】
このような構成によれば、表示態様予告演出が実行されることにより、遊技演出における表示態様が変更されることを特定可能に報知することができる。
【手続補正書】
【提出日】平成25年9月20日(2013.9.20)
【手続補正１】
【補正対象書類名】特許請求の範囲
【補正対象項目名】全文
【補正方法】変更
【補正の内容】
【特許請求の範囲】
【請求項１】
検査対象物質検査システムの動作方法であって：
第１の空間次元および第２の空間次元を有する第１の照射域内に幅広超音波ビームをトランスデューサ素子のアレイによって発生させる手順と、
発生された前記幅広超音波ビームに応答して、前記第１の照射域からのエコーをトランスデューサ素子のアレイによって受信する手順と、
受信されたエコーから、時間次元に分布するとともに、検査対象物質の前記第１の空間次元に分布する第１のデータを発生させる手順と、
前記第１の照射域の前記第１および第２の空間次元にわたって分布する対応する位置からの主寄与素子に対するエコーデータを表すデータロケーションラインに沿って前記第１のデータの値を合計し、前記第１のデータを、前記第１の照射域の前記第１の空間次元及び前記第２の空間次元に分布するエコーロケーションデータを含む第２のデータに変換する手順と、
前記第１の照射域に重なる少なくとも第２の照射域について、幅広超音波ビームを発生させる手順、エコーを受信する手順、第１のデータを発生させる手順および前記第１のデータの値を合計し前記第１のデータを第２のデータに変換する手順を繰り返す手順と、
生成手段によって、前記第１の照射域についての前記第２のデータおよび前記少なくとも第２の照射域についての前記第２のデータの両方を使って画像を生成する手順とを含む、
方法。
【請求項２】
請求項１記載の方法であって、検査対象物質内のある位置についての前記第１のデータ中の第１のデータロケーションラインについて、前記第１のデータロケーションラインに沿った前記データと二次寄与素子に対応する前記位置についての前記第１のデータ中の第２のデータロケーションラインに沿ったデータとの間の相互相関が閾値より大きい場合、前記第２のデータロケーションラインに沿ったデータが、位相調節および重み付け後に前記第１のデータ中の前記第１のデータロケーションラインに沿ったデータに加算される、
方法。
【請求項３】
検査対象物質を検査するシステムであって：
第１の空間次元および第２の空間次元を有する第１の照射域内に幅広超音波ビームを発生させるよう構成されたトランスデューサ素子の第１のアレイと、
発生された前記幅広超音波ビームに応答して、前記第１の照射域からのエコーを受信するよう構成された、トランスデューサ素子の前記第１のアレイと同じであってもなくてもよいトランスデューサ素子の第２のアレイと、
受信されたエコーから、時間次元に分布するとともに、検査対象物質の前記第１の空間次元に分布する第１のデータを発生させる手段と、
前記第１の照射域の前記第１および第２の空間次元にわたって分布する対応する位置からの主寄与素子に対するエコーデータを表すデータロケーションラインに沿って前記第１のデータの値を合計し、前記第１のデータを、前記第１の照射域の前記第１の空間次元及び前記第２の空間次元に分布するエコーロケーションデータを含む第２のデータに変換する手段とを含み、
前記第１の照射域に重なる少なくとも第２の照射域について、幅広超音波ビームの発生させること、エコーを受信すること、第１のデータを発生させることおよび前記第１のデータの値を合計し前記第１のデータを第２のデータに変換することを繰り返す手段と、
前記第１の照射域についての前記第２のデータおよび前記少なくとも第２の照射域についての前記第２のデータの両方を使って画像を生成する手段とを有する、
システム。
【請求項４】
請求項３記載のシステムであって、検査対象物質内のある位置についての前記第１のデータ中の第１のデータロケーションラインについて、前記第１のデータロケーションラインに沿った前記データと二次寄与素子に対応する前記位置についての前記第１のデータ中の第２のデータロケーションラインに沿ったデータとの間の相互相関が閾値より大きい場合、前記第２のデータロケーションラインに沿ったデータが、位相調節および重み付け後に前記第１のデータ中の前記第１のデータロケーションラインに沿ったデータに加算される、
システム。
【手続補正書】
【提出日】平成25年4月19日(2013.4.19)
【手続補正１】
【補正対象書類名】特許請求の範囲
【補正対象項目名】全文
【補正方法】変更
【補正の内容】
【特許請求の範囲】
【請求項１】
ゴルフクラブヘッド本体とホーゼル管とを含むゴルフクラブヘッドであって、上記ホーゼル管は上記ゴルフクラブヘッド本体に結合され、ホーゼル穴および複数のホーゼル整合機構を形成し、上記ホーゼル整合機構は上記ホーゼル管の基端部分に配置される、上記ゴルフクラブヘッドと、
長尺なシャフトと、
上記シャフトの末端部分に結合され、複数のスリーブ整合機構を含むシャフトスリーブと、
少なくとも部分的に上記ホーゼル穴において上記シャフトスリーブを上記クラブヘッドに取り外し可能に結合するファスナとを有し、
上記ホーゼル管は第１の密度を有する第１の材料から構築され、上記ゴルフクラブヘッド本体は上記第１の密度と異なる第２の密度を有する第２の材料から構築され、さらに、上記ホーゼル管は上記クラブヘッド本体のクラウンに近接して、かつ、ソールに近接して上記クラブヘッド本体に結合されることを特徴とするゴルフクラブ。
【請求項２】
ホーゼル穴を形成するホーゼルを含むゴルフクラブヘッドと、
長尺なシャフトと、
スリーブ本体、このスリーブ本体に回転可能に結合され、シャフトの末端部分と固定的に結合されるシャフトアダプタ、および、上記シャフトアダプタの上記スリーブ本体に対する方位を固定するロック部材を含むシャフトスリーブ組立体と、
少なくとも部分的に上記ホーゼル穴において上記スリーブ本体を上記クラブヘッドに取り外し可能に結合するファスナとを有ることを特徴とするゴルフクラブ。
【手続補正２】
【補正対象書類名】明細書
【補正対象項目名】０１９６
【補正方法】変更
【補正の内容】
【０１９６】
ここに開示されたこの発明の事例的な実施例はこの発明の目的を達成するけれども、多くの変更および他の実施例を当業者が工夫することができることは明らかである。したがって、添付の特許請求の範囲はすべてのそのような変更例および実施例をカバーするように意図されており、これらはこの発明の精神および範囲に含まれる。
以下、ここで説明された技術的な特徴を列挙する。
［技術的特徴１］
ゴルフクラブヘッド本体とホーゼル管とを含むゴルフクラブヘッドであって、上記ホーゼル管は上記ゴルフクラブヘッド本体に結合され、ホーゼル穴および複数のホーゼル整合機構を形成し、上記ホーゼル整合機構は上記ホーゼル管の基端部分に配置される、上記ゴルフクラブヘッドと、
長尺なシャフトと、
上記シャフトの末端部分に結合され、複数のスリーブ整合機構を含むシャフトスリーブと、
少なくとも部分的に上記ホーゼル穴において上記シャフトスリーブを上記クラブヘッドに取り外し可能に結合するファスナとを有し、
上記ホーゼル管は第１の密度を有する第１の材料から構築され、上記ゴルフクラブヘッド本体は上記第１の密度と異なる第２の密度を有する第２の材料から構築され、さらに、上記ホーゼル管は上記クラブヘッド本体のクラウンに近接して、かつ、ソールに近接して上記クラブヘッド本体に結合されることを特徴とするゴルフクラブ。
［技術的特徴２］
複数の楔整合機構を含む楔部材をさらに有し、上記楔部材は上記シャフトスリーブおよび上記ホーゼル管の間に介挿され、上記楔部材は上記シャフトスリーブおよび上記ホーゼル管の間に楔角を実現し、上記シャフトスリーブは上記シャフトスリーブおよび上記シャフトの間にシャフト角を実現する技術的特徴１記載のゴルフクラブ。
［技術的特徴３］
上記楔角および上記シャフト角の大きさが異なる技術的特徴２記載のゴルフクラブ。
［技術的特徴４］
上記シャフト角の大きさは約５°未満である技術的特徴２記載のゴルフクラブ。
［技術的特徴５］
上記楔角の大きさは約５°未満である技術的特徴２記載のゴルフクラブ。
［技術的特徴６］
上記ホーゼル整合機構は上記ホーゼル管の基端に配置される技術的特徴１記載のゴルフクラブ。
［技術的特徴７］
上記ホーゼル整合機構は、少なくとも部分的に上記ホーゼル管の側壁を通じて伸びる複数のノッチを有する技術的特徴６記載のゴルフクラブ。
［技術的特徴８］
ホーゼル穴を形成するホーゼルを含むゴルフクラブヘッドと、
長尺なシャフトと、
スリーブ本体、このスリーブ本体に回転可能に結合され、シャフトの末端部分と固定的に結合されるシャフトアダプタ、および、上記シャフトアダプタの上記スリーブ本体に対する方位を固定するロック部材を含むシャフトスリーブ組立体と、
少なくとも部分的に上記ホーゼル穴において上記スリーブ本体を上記クラブヘッドに取り外し可能に結合するファスナとを有ることを特徴とするゴルフクラブ。
［技術的特徴９］
上記スリーブ本体はネジ付きの穴を含み、この穴が、シャフトアダプタに含まれるネジ付きの突起を収容する技術的特徴８記載のゴルフクラブ。
［技術的特徴１０］
上記ロック部材は、上記ネジ付きの突起に支持されるネジ付きのナットであり、上記スリーブ本体および上記シャフトアダプタの間に介挿される技術的特徴９記載のゴルフクラブ。
［技術的特徴１１］
複数の楔整合機構を含む楔部材をさらに有し、上記楔部材は上記スリーブ本体および上記ホーゼル管の間に介挿され、上記楔部材は上記スリーブ本体および上記ホーゼル管の間に楔角を実現する技術的特徴８記載のゴルフクラブ。
［技術的特徴１２］
上記楔角の大きさは約５°未満である技術的特徴１１記載のゴルフクラブ。
［技術的特徴１３］
上記シャフトアダプタの少なくとも一部は上記スリーブ本体に対して角度付けられ上記シャフトが上記スリーブ本体に対してシャフト角だけ角度付けられる技術的特徴１１記載のゴルフクラブ。
［技術的特徴１４］
上記シャフト角の大きさは上記シャフト角の大きさと異なる技術的特徴１３記載のゴルフクラブ。
【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
ゴルフクラブヘッドと、
長尺なシャフトと、
上記シャフトを上記クラブヘッドに取り外し可能に結合する交換可能なシャフトシステムとを有し、
上記交換可能なシャフトシステムは二重の角度調整を実現し、かつ、上記交換可能なシャフトシステムは、単一の長尺のシャフトおよび交換可能なシャフトシステムを伴うゴルフクラブのライ平面において上記シャフトの上記クラブヘッドに対する、少なくとも３つの間欠的な配位を実現することを特徴とするゴルフクラブ。
【請求項２】
ホーゼルおよび複数のホーゼル整合機構を含むゴルフクラブヘッドであって、上記ホーゼル整合機構は上記ホーゼルの基端部の上、またはこれに隣接して配置される、上記ゴルフクラブヘッドと、
長尺のシャフトと、
上記シャフトの基端部に結合されるシャフトスリーブ組立体であって、シャフト本体と、上記シャフト本体に可撓性カップリングによって結合される張力部材とを含み、上記シャフト本体が複数のスリーブ整合機構を含む、上記シャフトスリーブ組立体と、
複数の楔整合機構を含む楔部材であって、上記スリーブ本体および上記ホーゼルの間に配置される上記楔部材と、
上記張力部材を上記クラブヘッドに取り外し可能に結合するファスナとを有し、
上記楔部材は、上記シャフトスリーブおよび上記ホーゼルの間に楔角を実現し、上記スリーブ本体は上記スリーブ本体と上記シャフトの間にシャフト角を実現することを特徴とするゴルフクラブ。
【手続補正２】
【補正対象書類名】明細書
【補正対象項目名】０１７７
【補正方法】変更
【補正の内容】
【０１７７】
ここに開示されたこの発明の事例的な実施例はこの発明の目的を達成するけれども、多くの変更および他の実施例を当業者が工夫することができることは明らかである。したがって、添付の特許請求の範囲はすべてのそのような変更例および実施例をカバーするように意図されており、これらはこの発明の精神および範囲に含まれる。
以下、ここで説明された技術的な特徴を列挙する。
［技術的特徴１］
ゴルフクラブヘッドと、
長尺なシャフトと、
上記シャフトを上記クラブヘッドに取り外し可能に結合する交換可能なシャフトシステムとを有し、
上記交換可能なシャフトシステムは二重の角度調整を実現し、かつ、上記交換可能なシャフトシステムは、単一の長尺のシャフトおよび交換可能なシャフトシステムを伴うゴルフクラブのライ平面において上記シャフトの上記クラブヘッドに対する、少なくとも３つの間欠的な配位を実現することを特徴とするゴルフクラブ。
［技術的特徴２］
上記交換可能なシャフトシステムは上記ライ平面において少なくとも４つの間欠的な配位を実現するよう構成される技術的特徴１記載のゴルフクラブ。
［技術的特徴３］
上記交換可能なシャフトシステムは、上記長尺のシャフトおよび上記クラブヘッドの間に楔部材を含む技術的特徴１記載のゴルフクラブ。
［技術的特徴４］
上記楔部材は、上記クラブヘッドに対して２つの選択可能な配位を有するように構築される技術的特徴３記載のゴルフクラブ。
［技術的特徴５］
上記長尺のシャフトは、上記楔部材に対して２つの選択可能な配位を有するように構築される技術的特徴４記載のゴルフクラブ。
［技術的特徴６］
上記交換可能なシャフトシステムはシャフトスリーブ組立体を含み、このシャフトスリーブ組立体はスリーブ本体、および、上記スリーブ本体に可撓性のあるカップリングで結合される張力部材を含む技術的特徴１記載のゴルフクラブ。
［技術的特徴７］
上記交換可能なシャフトシステムは、上記シャフトスリーブ組立体にスライド可能に結合される筒状の楔部材を含み、上記シャフトスリーブ組立体は、上記楔部材を上記シャフトスリーブ組立体に保持する手段を有する技術的特徴６記載のゴルフクラブ。
［技術的特徴８］
ホーゼルおよび複数のホーゼル整合機構を含むゴルフクラブヘッドであって、上記ホーゼル整合機構は上記ホーゼルの基端部の上、またはこれに隣接して配置される、上記ゴルフクラブヘッドと、
長尺のシャフトと、
上記シャフトの基端部に結合されるシャフトスリーブ組立体であって、シャフト本体と、上記シャフト本体に可撓性カップリングによって結合される張力部材とを含み、上記シャフト本体が複数のスリーブ整合機構を含む、上記シャフトスリーブ組立体と、
複数の楔整合機構を含む楔部材であって、上記スリーブ本体および上記ホーゼルの間に配置される上記楔部材と、
上記張力部材を上記クラブヘッドに取り外し可能に結合するファスナとを有し、
上記楔部材は、上記シャフトスリーブおよび上記ホーゼルの間に楔角を実現し、上記スリーブ本体は上記スリーブ本体と上記シャフトの間にシャフト角を実現することを特徴とするゴルフクラブ。
［技術的特徴９］
上記楔角および上記シャフト角の大きさが異なる技術的特徴８記載のゴルフクラブ。
［技術的特徴１０］
上記楔角および上記シャフト角の大きさが少なくとも近似的に等しい技術的特徴８記載のゴルフクラブ。
［技術的特徴１１］
上記楔部材は、端部表面を有し、これら端部表面が相互に角度付けられ、第１の端部表面が上記スリーブ本体の一部と当接し、第２の端部表面が上記ホーゼルの一部と当接する技術的特徴８記載のゴルフクラブ。
［技術的特徴１２］
上記張力部材は複数の可撓性アームを有し、これらアームが上記張力部材の基端の部分内にキャビティを形成する技術的特徴８記載のゴルフクラブ。
［技術的特徴１３］
上記張力部材の末端の部分は、上記ファスナの一部を収容するファスナ穴を形成する技術的特徴１２記載のゴルフクラブ。
［技術的特徴１４］
上記キャビティは長く伸び、上記ファスナ穴の長手軸と同軸の長手軸を形成する技術的特徴１３記載のゴルフクラブ。
［技術的特徴１５］
上記スリーブ本体は管状部分と、この管状部分から伸びるボールとを有し、上記ボールが上記張力部材の上記キャビティに収容されて可撓性カップリングを形成する技術的特徴１３記載のゴルフクラブ。
［技術的特徴１６］
上記複数のホーゼル整合機構、スリーブ整合機構、および楔整合機構の少なくとも１つが複数の舌部を有する技術的特徴８記載のゴルフクラブ。
［技術的特徴１７］
上記楔は、上記複数のスリーブ整合機構とぴったりと合って係合する、複数の基端楔整合機構と、上記複数のホーゼル整合機構とぴったりと合って係合する、複数の末端楔整合機構とを有する技術的特徴８記載のゴルフクラブ。
［技術的特徴１８］
上記複数のスリーブ整合機構、基端楔整合機構、末端楔整合機構、およびホーゼル整合機構の各々は、径方向に相互に対抗する少なくとも２つの整合機構を含む技術的特徴１７記載のゴルフクラブ。
［技術的特徴１９］
上記楔部材は、筒状であり、上記シャフトスリーブ組立体にスライド可能に結合され、上記シャフトスリーブ組立体は上記楔部材を上記シャフトスリーブ組立体に把持する手段を有する技術的特徴８記載のゴルフクラブ。
【手続補正書】
【提出日】平成25年2月21日(2013.2.21)
【手続補正１】
【補正対象書類名】特許請求の範囲
【補正対象項目名】全文
【補正方法】変更
【補正の内容】
【特許請求の範囲】
【請求項１】
（ｉ）直径が０．３８１ｍｍ（０．０１５インチ）から２２．７ｍｍ（０．９００インチ）の範囲で、比重が１．１８から５．００ｇ／ｃｃ（ＳＧｉｎｎｅｒ）の範囲の内側コアと、
（ｉｉ）厚さが２．５４ｍｍ（０．１００インチ）から１５．２ｍｍ（０．６００インチ）の範囲で、比重が０．０８０から１．２０ｇ／ｃｃ（ＳＧｉｎｔｅｒｍｅｄｉａｔｅ）の範囲の中間コア層と、
（ｉｉｉ）厚さが０．２５４ｍｍ（０．０１０インチ）から５．０８ｍｍ（０．２００インチ）の範囲で、比重が１．１８から５．００ｇ／ｃｃ（ＳＧｏｕｔｅｒ）の範囲の外側コア層とを具備し、
ＳＧｉｎｎｅｒがＳＧｉｎｔｅｒｍｅｄｉａｔｅより大きく、かつ、ＳＧｉｎｔｅｒｍｅｄｉａｔｅがＳＧｏｕｔｅｒより小さい、マルチ層コアと、
少なくとも１つの層を具備するカバーとを有するゴルフボール。
【請求項２】
（ｉ）直径が０．３８１ｍｍ（０．０１５インチ）から２２．７ｍｍ（０．９００インチ）の範囲で、比重が１．１８から５．００ｇ／ｃｃ（ＳＧｉｎｎｅｒ）の範囲の内側コアと、
（ｉｉ）厚さが２．５４ｍｍ（０．１００インチ）から１５．２ｍｍ（０．６００インチ）の範囲で、比重が０．０８０から１．２０ｇ／ｃｃ（ＳＧｏｕｔｅｒ）の範囲の外側コア層とを具備し、
ＳＧｉｎｎｅｒがＳＧｏｕｔｅｒより大きい、マルチ層コアと、
少なくとも１つの層を具備するカバーとを有するゴルフボール。
【手続補正書】
【提出日】平成25年3月15日(2013.3.15)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を行い表示結果を導出表示する可変表示手段に特定表示結果が導出表示されたときに、遊技者にとって有利な特定遊技状態に制御するとともに、該特定遊技状態を終了した後に、通常遊技状態であるときに比べて識別情報の可変表示の表示結果が前記特定表示結果となりやすい特別遊技状態に制御可能な遊技機であって、
前記特別遊技状態であるか否かを認識困難な演出として、前記特別遊技状態に制御されていることに対する期待度が異なる複数種類の共通演出を実行可能な共通演出実行手段を備え、
前記共通演出実行手段は、
共通演出の開始条件が成立したことにもとづいて、共通演出の実行を開始する演出開始手段と、
共通演出の終了条件が成立したことにもとづいて、共通演出の実行を終了する演出終了手段と、
共通演出の実行を終了した後に、共通演出の再開条件が成立したことにもとづいて、共通演出の実行を再開する演出再開手段とを含み、
前記演出再開手段は、
共通演出の実行を終了した後に、前記開始条件が成立してから所定期間以内に前記再開条件が成立したことにもとづいて、前記開始条件の成立にもとづいて実行した共通演出と比較して、前記特別遊技状態に制御されていることに対する期待度が低下しない種類の共通演出で、共通演出の実行を再開する第１演出再開手段と、
共通演出の実行を終了した後に、前記開始条件が成立してから前記所定期間を経過した後であっても、前回の共通演出の実行を終了してから特定期間以内に前記再開条件が成立したことにもとづいて、前記開始条件の成立にもとづいて実行した共通演出と比較して、前記特別遊技状態に制御されていることに対する期待度が低下しない種類の共通演出で、共通演出の実行を再開する第２演出再開手段とを含む
ことを特徴とする遊技機。
【手続補正２】
【補正対象書類名】明細書
【補正対象項目名】００１０
【補正方法】変更
【補正の内容】
【００１０】
（手段１）本発明による遊技機は、各々を識別可能な複数種類の識別情報（例えば、第１特別図柄、第２特別図柄、演出図柄）の可変表示を行い表示結果を導出表示する可変表示手段（例えば、第１特別図柄表示器８ａ、第２特別図柄表示器８ｂ、演出表示装置９）に特定表示結果（例えば、大当り図柄）が導出表示されたときに、遊技者にとって有利な特定遊技状態（例えば、大当り遊技状態）に制御するとともに、該特定遊技状態を終了した後に、通常遊技状態であるときに比べて識別情報の可変表示の表示結果が特定表示結果となりやすい特別遊技状態（例えば、確変状態）に制御可能な遊技機であって、特別遊技状態であるか否かを認識困難な演出として、特別遊技状態に制御されていることに対する期待度が異なる複数種類の共通演出（例えば、アイテムの表示数０個〜５個の確変示唆演出）を実行可能な共通演出実行手段（例えば、演出制御用マイクロコンピュータ１００におけるステップＳ８６０９〜Ｓ８６１６，Ｓ８６１８〜Ｓ８６４７を実行する部分）を備え、共通演出実行手段は、共通演出の開始条件が成立したこと（例えば、遊技状態が通常状態であるときに突然確変大当りまたは小当りが発生したこと）にもとづいて、共通演出の実行を開始する演出開始手段（例えば、演出制御用マイクロコンピュータ１００において、ステップＳ８６０９でＹの後、ステップＳ８６２７〜Ｓ８６３３を実行する部分）と、共通演出の終了条件が成立したことにもとづいて、共通演出の実行を終了する演出終了手段（例えば、演出制御用マイクロコンピュータ１００におけるステップＳ８６１１〜Ｓ８６１４，Ｓ８６３５〜Ｓ８６３８を実行する部分）と、共通演出の実行を終了した後に、共通演出の再開条件が成立したこと（例えば、抽選処理により確変示唆演出を再開すると判定したこと、突然確変大当りまたは小当りが発生したこと）にもとづいて、共通演出の実行を再開する演出再開手段（例えば、演出制御用マイクロコンピュータ１００において、ステップＳ８６０９でＹの後、ステップＳ８６１８〜Ｓ８６２６を実行する部分。例えば、演出制御用マイクロコンピュータ１００におけるステップＳ８６４０〜Ｓ８６４７を実行する部分。）とを含み、演出再開手段は、共通演出の実行を終了した後に、開始条件が成立してから所定期間以内（例えば、ステップＳ７０８の回数設定処理でプランＡが設定された場合、確変潜伏モードを開始してからの変動表示が５０回以内、ステップＳ７０８の回数設定処理でプランＢが設定された場合、確変潜伏モードを開始してからの変動表示が６０回以内）に再開条件が成立したことにもとづいて、開始条件の成立にもとづいて実行した共通演出と比較して、特別遊技状態に制御されていることに対する期待度が低下しない種類の共通演出（例えば、前回の確変示唆演出で表示されていたアイテム数を引き継いで実行する確変示唆演出）で、共通演出の実行を再開する第１演出再開手段（例えば、出制御用マイクロコンピュータ１００におけるステップＳ８６４０〜Ｓ８６４７を実行する部分）と、共通演出の実行を終了した後に、開始条件が成立してから所定期間を経過した後であっても、前回の共通演出の実行を終了してから特定期間以内（例えば、ステップＳ７０８の回数設定処理でプランＡが設定された場合、確変潜伏モードを開始してからの変動表示が２０回以内、ステップＳ７０８の回数設定処理でプランＢが設定された場合、確変潜伏モードを開始してからの変動表示が１０回以内）に再開条件が成立したことにもとづいて、開始条件の成立にもとづいて実行した共通演出と比較して、特別遊技状態に制御されていることに対する期待度が低下しない種類の共通演出（例えば、前回の確変示唆演出で表示されていたアイテム数から１個増加させた状態で実行する確変示唆演出）で、共通演出の実行を再開する第２演出再開手段（例えば、演出制御用マイクロコンピュータ１００において、ステップＳ８６０９でＹの後、ステップＳ８６１８〜Ｓ８６２６を実行する部分）とを含むことを特徴とする。そのような構成により、最初の共通演出から所定期間を経過した後であっても、遊技に対する興趣を向上させることができる。
【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
相対的に多量の液体を吐出する第１の吐出口と、相対的に少量の液体を吐出する第２の吐出口と、を備える液体吐出ヘッドであって、
液体を貯留する第１の液室及び第２の液室と、
前記第１の吐出口と前記第１の液室とを連通する第１の流路と、
前記第１の吐出口と前記第２の液室とを連通する第２の流路と、
前記第２の吐出口と前記第１の液室とを連通する第３の流路と、
を有することを特徴とする液体吐出ヘッド。
【請求項２】
前記第１の液室と前記第２の液室との間に前記第１の吐出口が配されている、請求項１に記載の液体吐出ヘッド。
【請求項３】
前記第１の吐出口の一方の側に前記第１の流路が配され、前記第１の吐出口の前記一方の側とは反対の他方の側に前記第２の流路が配されている、請求項１または２に記載の液体吐出ヘッド。
【請求項４】
前記第１の流路と前記第２の流路は直線上に配されている、請求項２に記載の液体吐出ヘッド。
【請求項５】
前記第１の吐出口と前記第２の吐出口との間に前記第１の液室が配されている、請求項１から４のいずれか１項に記載の液体吐出ヘッド。
【請求項６】
相対的に多量の液体を吐出する複数の第１の吐出口が所定方向に配列されてなる第１の吐出口列と、相対的に少量の液体を吐出する複数の第２の吐出口が前記所定方向に配列されてなる第２の吐出口列と、を備える液体吐出ヘッドであって、
前記所定方向に沿って形成される、液体を貯留する第１の液室と、
前記所定方向に沿って形成される、液体を貯留する第２の液室と、
複数の前記第１の吐出口の各々と前記第１の液室とを連通する複数の第１の流路と、
複数の前記第１の吐出口の各々と前記第２の液室とを連通する複数の第２の流路と、
複数の前記第２の吐出口の各々と前記第１の液室とを連通する複数の第３の流路と、
を備え、前記第１の液室と前記第２の液室との間に前記第１の吐出口列が配されていることを特徴とする液体吐出ヘッド。
【請求項７】
前記第１の吐出口列と前記第２の吐出口列との間に前記第１の液室が配されている、請求項６に記載の液体吐出ヘッド。
【請求項８】
前記第１の流路と前記第２の流路は直線上に配されている、請求項７に記載の液体吐出ヘッド。
【請求項９】
前記所定方向と交差する方向に関して、前記第２の吐出口列、前記第１の液室、前記第１の吐出口列、前記第２の液室の順に配されている、請求項６から８のいずれか１項に記載の液体吐出ヘッド。
【請求項１０】
前記第１の液室及び第２の液室は基板上に形成されている、請求項６から９のいずれか１項に記載の液体吐出ヘッド。
【請求項１１】
前記第１の流路、前記第２の流路及び前記第３の流路は、前記所定の方向と交差する方向に延在している、請求項６から１０のいずれか１項に記載の液体吐出ヘッド。
【手続補正２】
【補正対象書類名】明細書
【補正対象項目名】発明の名称
【補正方法】変更
【補正の内容】
【発明の名称】液体吐出ヘッド
【手続補正３】
【補正対象書類名】明細書
【補正対象項目名】０００１
【補正方法】変更
【補正の内容】
【０００１】
本発明は、液体吐出ヘッドに関するものである。
【手続補正４】
【補正対象書類名】明細書
【補正対象項目名】００１２
【補正方法】変更
【補正の内容】
【００１２】
本発明の目的は、小液滴吐出口と大液滴吐出口の吐出量差が大きくなった場合でも、小液滴吐出口および大液滴吐出口からの吐出性能の双方が適正な状態で両立する液体吐出ヘッドを提供することである。また、本発明の目的は小液滴吐出口と大液滴吐出口が共通液室の両側に交互に並んだ構成においても小液滴のメニスカス振動を適正に保ち、正常な吐出状態を維持できる液体吐出ヘッドを提供することである。
【手続補正５】
【補正対象書類名】明細書
【補正対象項目名】００１３
【補正方法】変更
【補正の内容】
【００１３】
本発明の液体吐出ヘッドは、相対的に多量の液体を吐出する大液滴吐出口と、相対的に少量の液体を吐出する小液滴吐出口とを有する。また、液体を貯留する第１の液室及び第２の液室と、第１の液室と大液滴吐出口とを連通させる第１の流路と、第２の液室と大液滴吐出口とを連通させる第２の流路と、第１の液室と小液滴吐出口とを連通させる第３の流路とを有する。
【手続補正６】
【補正対象書類名】明細書
【補正対象項目名】００１４
【補正方法】変更
【補正の内容】
【００１４】
本発明によれば、小液滴吐出口と大液滴吐出口の吐出量差が大きくなった場合でも、小液滴吐出口および大液滴吐出口からの吐出性能の双方を適正な状態で両立させることが可能となる。また、上記効果を奏する液体吐出ヘッドを、簡単に、かつ、低コストで、精度良く実現することが可能となる。また本発明によれば小液滴吐出口と大液滴吐出口が共通液室の両側に交互に並んだ構成においても小液滴のメニスカス振動を適正に保ち、正常な吐出状態を維持できる液体吐出ヘッドを提供することが可能となる。
【手続補正書】
【提出日】平成25年7月17日(2013.7.17)
【手続補正１】
【補正対象書類名】特許請求の範囲
【補正対象項目名】全文
【補正方法】変更
【補正の内容】
【特許請求の範囲】
【請求項１】
筐体内に防振支持され、内部に洗濯水を貯留する外槽と、
前記外槽に内包され、洗濯物が収容される内槽と、
前記内槽を回転駆動させる駆動装置と、
前記外槽に給水する給水手段と、を備えるドラム式洗濯機において、
前記外槽内の上部には、前記外槽と前記内槽の側面との間に、前記給水手段から供給された洗浄水を、洗浄水供給配管を介して前記内槽の外周面に散水する散水口を有する水路部材が設けられていることを特徴とするドラム式洗濯機。
【請求項２】
前記洗浄水供給配管に分岐して接続される水抜き配管を備え、
前記洗浄水供給配管と前記水抜き配管とが鉛直方向において上下に位置していることを特徴とする請求項１に記載のドラム式洗濯機。
【請求項３】
前記水抜き配管が接続される出口の水抜き孔の断面積は、前記散水口の合計断面積の１割以上に設定されることを特徴とする請求項１または請求項２に記載のドラム式洗濯機。
【請求項４】
前記洗浄水供給配管と前記水抜き配管との分岐部は、前記給水手段の近傍に位置していることを特徴とする請求項１から請求項３のいずれか１項に記載のドラム式洗濯機。
【請求項５】
筐体内に防振支持され、内部に洗濯水を貯留する外槽と、
前記外槽に内包され、洗濯物が収容される内槽と、
前記内槽を回転駆動させる駆動装置と、
前記外槽に給水する給水手段と、を備えるドラム式洗濯機において、
前記外槽は、外槽本体と外槽カバーを有し、
前記給水手段から供給された洗浄水を、洗浄水供給配管を介して、前記外槽カバーに設けられた水路部材に供給し、
前記水路部材は、前記内槽の外周面に散水する散水口を有することを特徴とするドラム式洗濯機。
【請求項６】
前記給水手段は、前記洗浄水供給配管に接続される専用の槽洗浄給水電磁弁を備えることを特徴とする請求項１から請求項５のいずれか１項に記載のドラム式洗濯機。
【手続補正２】
【補正対象書類名】明細書
【補正対象項目名】０００７
【補正方法】変更
【補正の内容】
【０００７】
本発明は、筐体内に防振支持され、内部に洗濯水を貯留する外槽と、前記外槽に内包され、洗濯物が収容される内槽と、前記内槽を回転駆動させる駆動装置と、前記外槽に給水する給水手段と、を備えるドラム式洗濯機において、前記外槽内の上部には、前記外槽と前記内槽の側面との間に、前記給水手段から供給された洗浄水を、洗浄水供給配管を介して前記内槽の外周面に散水する散水口を有する水路部材が設けられていることを特徴とする。
【手続補正書】
【提出日】平成25年2月13日(2013.2.13)
【手続補正１】
【補正対象書類名】明細書
【補正対象項目名】００３２
【補正方法】変更
【補正の内容】
【００３２】
送気ポート５６は送気管路２０に連通しており、送気チューブ６２の一端が接続される。送気チューブ６２の他端は流体供給装置８０の送気コネクタ８０ｃに接続される。流体供給装置８０の送気コネクタ８０ｃから送出されるガスは、内視鏡挿入部２６の観察窓４２に付着した汚れや水滴を吹き飛ばすための高圧ガス（ブロー用ガス）である。そして、流体供給装置８０の送気コネクタ８０ｃから送出されるガスは、送気チューブ６２、送気ポート５６、及び送気管路２０を介してノズル６８に導かれる。
【手続補正２】
【補正対象書類名】明細書
【補正対象項目名】００４７
【補正方法】変更
【補正の内容】
【００４７】
図１〜図３に示すように、シース操作部３０は、支持部６６を介してシース挿入部１４に連結固定される本体部３１と、本体部３１に対して回動自在に設けられた操作レバー３２と、送液チューブ６０及び送気チューブ６２を閉塞するための付勢手段として捩じりコイルばね９４、９６とから構成されている。
【手続補正３】
【補正対象書類名】明細書
【補正対象項目名】００５０
【補正方法】変更
【補正の内容】
【００５０】
図５及び図６は、操作レバー操作時のチューブの開閉状態を示した概略断面図である。図５は操作レバーを背面側（シース挿入部１４の先端とは反対側）から見たときの様子を示し、図６は操作レバーを側面側から見たときの様子を示している。
【手続補正４】
【補正対象書類名】明細書
【補正対象項目名】００５２
【補正方法】変更
【補正の内容】
【００５２】
また、図５（ｂ）及び図６（ｂ）に示すように操作レバー３２を１段階押し下げた状態においては、操作レバー３２の当接部材１２６、１２８のうち、第１の当接部材１２６が捩じりコイルばね９４に当接し、捩じりコイルばね９４の付勢力に抗してストッパ９０が押し下げられる。これにより、送気チューブ６２の管路が開放されて開状態となり、流体供給装置８０の送気コネクタ８０ｃから出力されるブロー用ガスが送気ポート５６、送気管路２０を介してノズル６８に供給される。一方、第２の当接部材１２８は、第１の当接部材１２６よりもその長さが短く構成されており、操作レバー３２を１段階押し下げた状態では、第２の当接部材１２８は捩じりコイルばね９６に当接せず、図５（ａ）に示した非操作状態と同様に、送液チューブ６０はストッパ９２に押圧されて管路が閉塞した閉状態にある。よって、操作レバー３２を１段階押し下げた状態では、シース挿入部１４先端のノズル６８からブロー用ガスのみが噴射される。
【手続補正５】
【補正対象書類名】明細書
【補正対象項目名】００６６
【補正方法】変更
【補正の内容】
【００６６】
このように送気チューブ６２の一部を開放したときに形成される隙間からガスカーテン用ガスを供給するようにした場合、図７に示すように送気チューブ６２内に線状部材、チューブ状部材、メッシュ状部材などの閉塞防止部材６３を内挿しておくことにより、送気チューブ６２が完全に閉塞してしまうのを防止することができる。また、図８に示すように送気チューブ６２の内壁部に突起部６２ａを設けてもよいし、図９に示すように送気チューブ６２の内壁部に凹部６２ｂを設けてもよい。また、図１０に示すようにＶ字状の溝部１３０に送気チューブ６２を押し付けるようしても、送気チューブ６２は完全に閉塞せず、そのときに形成される隙間からガスカーテン用ガスを供給することが可能となる。さらに、図１１に示すように送気チューブ６２にバイパスチューブ１３２の両端を接続しておき、押圧部材１３４（図５のストッパ９０に相当）によって送気チューブ６２を閉塞（圧潰）したとき、バイパスチューブ１３２を介してガスカーテン用ガスを供給することも可能となる。
【手続補正６】
【補正対象書類名】図面
【補正対象項目名】図２
【補正方法】変更
【補正の内容】
【図２】
2013039247.tif 000001
【手続補正７】
【補正対象書類名】図面
【補正対象項目名】図３
【補正方法】変更
【補正の内容】
【図３】
2013039247.tif 000002